(57)【要約】【課題】  フードの内周面に付着して水滴化した内容液の、フードからの滴下を阻止することにより、内容液の滴下による不正な濡れおよび汚れの発生のない、内容液の適正な規整噴霧を得ることを目的とする。【解決手段】  噴霧器１１のノズルヘッド１２に外嵌組付きする基端開口部２から先端開口部３に向かってラッパ状に拡径し、先端開口部３寄りの内周面の少なくとも下側に位置する部分に、液溜り溝４を凹設して構成し、内周面に付着して水滴化して流下してくる内容液を、液溜り溝４に滞留させて、滴下による周囲の濡れとか汚れの発生を防止する。【選択図】図２
2005239274.tif 000002
【特許請求の範囲】
【請求項１】
噴霧器（１１）のノズルヘッド（１２）に外嵌組付きする基端開口部（２）から先端開口部（３）に向かってラッパ状に拡径し、前記先端開口部（３）寄りの内周面の少なくとも下側に位置する部分（訂正：下側部分）に、液溜り溝（４）を凹設した噴霧器用フード。
【請求項２】
ラッパ状筒体を展開した扇形状に成形された、シート材製の本体シート（５）の一方の側端部に、複数の係合孔（６）を開設し、前記本体シート（５）の他方の側端部に、前記係合孔（６）に嵌入係合する複数の係合突片（７）を突設し、前記本体シート（５）を丸めて、前記係合孔（６）に係合突片（７）を係合させて構成した請求項１記載の噴霧器用フード。
【請求項３】
ノズルヘッド（１２）に不動に外嵌する筒状の嵌着治具（９）の外周面に係止周溝（１０）を周設し、基端開口部（２）に内鍔片状に複数設けた係止リブ片（８）を、前記係止周溝（１０）に嵌入係止させて前記ノズルヘッド（１２）への組付けを達成する請求項１または２記載の噴霧器用フード。
【請求項４】
液溜り溝（４）を、少なくとも内周面の下方１８０°範囲に設けた請求項１、２または３記載の噴霧器用フード。
【発明の詳細な説明】
【技術分野】
【０００１】
本発明は、噴霧器、特にはトリガー式噴霧器に装着されて、霧飛散防止作用を発揮する噴霧器用フードに関するものである。
【背景技術】
【０００２】
噴霧器のノズルヘッドの外周に、基部にノズルヘッドの外周を嵌合する嵌合開口を形成し、先端に所定の大きさ、形状に形成した開口を設けて成る噴霧範囲を規整する案内筒（フード）を、嵌合開口を以って噴霧器のノズルヘッドに着脱自在に取り付けることができるようにしたものが知られている。
【特許文献１】特開２００４−０３４００６号公報
【０００３】
この特許文献１にあっては、構造が簡単であり、噴霧対象箇所、噴霧対象物体になるべく多くの霧を散布でき、噴霧対象箇所、噴霧対象物体以外の周囲には余分な霧の吹き付けを制限できる、と云う効果を発揮する。
【発明の開示】
【発明が解決しようとする課題】
【０００４】
しかしながら、特許文献１に開示された従来技術にあっては、噴霧された内容液の一部がフードの内周面に付着して水滴化し、この水滴化した内容液が、先端の開口からフード外に滴下して、周囲を不正に濡らすとか、汚す、と云う問題があった。
【０００５】
そこで、本発明は、上記した従来技術における問題点を解消すべく創案されたもので、フードの内周面に付着して水滴化した内容液の、フードからの滴下を阻止することを技術的課題とし、もって内容液の滴下による不正な濡れおよび汚れの発生のない、内容液の適正な規整噴霧を得ることを目的とする。
【課題を解決するための手段】
【０００６】
上記技術的課題を解決する本発明の内、請求項１記載の発明に手段は、
噴霧器のノズルヘッドに外嵌組付きする基端開口部から先端開口部に向かってラッパ状に拡径していること、
先端開口部寄りの内周面の少なくとも下側に位置する部分に、液溜り溝を凹設したこと、
にある。
【０００７】
この請求項１記載の発明にあっては、噴霧器のノズルヘッドのノズルから噴霧された内容液は、フードにより、周囲に不要に飛散することなく、その散布範囲を目的箇所に正確に規整された状態で、散布される。
【０００８】
この内容液の噴霧動作に際して、フードに付着して水滴化した内容液の一部は、集まって大きな水滴状となって、フードの内周面を流下する。
【０００９】
フードの内周面を流下する水滴化した内容液は、先端開口部に向かって流動するが、先端開口部寄りの内周面の少なくとも下側に位置する部分には、液溜り溝が設けられているので、流動してきた内容液は、この液溜り溝に流入して、ここに留まり、先端開口部からフード外に滴下することがない。
【００１０】
なお、「内周面の少なくとも下側に位置する部分」とは、フードの仮想される中心線からの垂線が交わる内周面箇所を含む部分を意味している。
【００１１】
請求項２記載の発明は、請求項１記載の発明の構成に、ラッパ状筒体を展開した扇形状に成形された、シート材製の本体シートの一方の側端部に、複数の係合孔を開設し、本体シートの他方の側端部に、係合孔に嵌入係合する複数の係合突片を突設し、本体シートを丸めて、係合孔に係合突片を係合させて構成した、ことを加えたものである。
【００１２】
この請求項２記載の発明にあっては、フードをシート材製とすることができるので、フードを、熱成形等を利用して安価にかつ簡単に得ることが可能であり、また噴霧器付き容器体に対するフードの付帯が、簡単にかつ好ましい状態で達成できる。
【００１３】
請求項３記載の発明は、請求項１または２記載の発明の構成に、ノズルヘッドに不動に外嵌する筒状の嵌着治具の外周面に係止周溝を周設し、基端開口部に内鍔片状に複数設けた係止リブ片を、嵌着治具の係止周溝に嵌入係止させてノズルヘッドへの組付けを達成する、ことを加えたものである。
【００１４】
この請求項３記載の発明にあっては、既存の噴霧器に対して、フードを無理なく好適に組付けることができる。特に、シート材を丸めてフードを構成した場合、その基端開口部が円形となるので、外観形状が三角柱状となっている噴霧器のノズルヘッドに対する組付きには不適当となるが、このような場合に嵌着治具を用いることにより、フードの噴霧器に対する組付けを好適に達成できる。
【００１５】
請求項４記載の発明は、請求項１、２または３記載の発明の構成に、液溜り溝を、少なくとも内周面の下方１８０°範囲に設けた、ことを加えたものである。
【００１６】
この請求項４記載の発明にあっては、液溜り溝を避けて先端開口部まで流下する内容液を無くすことができる。
【発明の効果】
【００１７】
本発明は、上記した構成となっているので、以下に示す効果を奏する。
請求項１記載の発明にあっては、内容液を、周囲に不要に飛散させることなく、目的箇所に正確に規整された状態で、散布することができる。
【００１８】
また、フード内面に付着して水滴化した内容液が水滴状となって、フードの内周面を流下して、先端開口部に向かって流動しても、液溜り溝に滞留してフード外に滴下することがないので、噴霧した内容液により、周囲を濡らしたり汚したりすることがない。
【００１９】
請求項２記載の発明にあっては、フードを、安価にかつ簡単に得ることが可能であり、また噴霧器付き容器体に対するフードの付帯が、簡単にかつ好ましい状態で達成でき、好ましい取扱いを得ることができる。
【００２０】
請求項３記載の発明にあっては、既存の噴霧器に対して、フードを無理なく好適に組付けることができるので、フードの無理のない好適な利用を得ることができる。
【００２１】
請求項４記載の発明にあっては、液溜り溝を避けて先端開口部まで流下する内容液を無くすことができるので、内容液による周囲の濡れおよび汚れの発生を、より確実に防止することができる。
【発明を実施するための最良の形態】
【００２２】
以下、本発明の実施形態を、図面を参照しながら説明する。
図１および図２に示すように、本発明によるフード１を組付ける噴霧器１１は、引き金状のトリガー１３を有するトリガー式噴霧器となっており、噴霧すべき内容液を収納した容器体１４の上端開口部に、組付けキャップ１５により組付けられている。
【００２３】
この図１および図２に示した実施例にあっては、本発明によるフード１は、噴霧器１１の、ノズルを開設したノズルヘッド１２に、筒状構造をした嵌着治具９を介して組付けられている。
【００２４】
図３は、本発明によるフード１の一実施例を示すもので、噴霧器１１のノズルヘッド１２に対する組付き部分となる基端開口部２から、噴霧された内容液の噴出口となる先端開口部３に向かって、ラッパ状に拡径したテーパー筒構造をしており、先端開口部３寄りの内周面の下側に位置する部分には、横溝状の液溜り溝４（図２参照）が設けられており、さらに基端開口部２の開口縁には、内鍔片状となった複数の係止リブ片８が突片状に設けられている。
【００２５】
このフード１は、その形状が円錐台筒形状に限定されることはなく、噴霧内容液の散布規制形態の応じて、その先端開口部３の開口形状を、円形、楕円形、正方形、長方形等の所望する形状とすることができる。
【００２６】
また、単に噴霧内容液が散布対象面以外の周囲に広く飛散するのを防止したい場合には、フード１の形状は、その基端開口部２から先端開口部３に向かう拡径程度の開角角度が、噴霧内容液の噴射角と等しいか、僅かに大きくなった円錐台筒形状とするのが良い。
【００２７】
このフード１に対して嵌着治具９は、ノズルヘッド１２の外周面と同じ形状および大きさの内周面と、フード１の基端開口部２の口径と等しい外径の円周面となった外周面とを有しており、外周面の先端寄りの箇所には、フード１の係止リブ片８が強固に嵌入係止する係止周溝１０が周設されている。
【００２８】
なお、図２から明らかなように、嵌着治具９の内周面には、嵌着治具９のノズルヘッド１２に対する組付き位置を規制する機能部分、および嵌着治具９のノズルヘッド１２に対する嵌着組付きを維持する機能部分が形成されている。
【００２９】
図４は、フード１をシート材で製作する場合の一例を示すもので、フード１に組立てられる本体シート５は、ポリプロピレン樹脂またはポリエチレン樹脂等の合成樹脂製シートから、円錐台筒形状体を展開した扇形状に裁断成形される。
【００３０】
この本体シート５を合成樹脂製シートで製作する場合、合成樹脂製シートの成形材料が限定されることはないのであるが、内容液の物性に対する耐久性に優れた特性を有する合成樹脂材料を選択することが望ましい。
【００３１】
この本体シート５の一方の側端部（図４において左側端部）には、二つの係合孔６が開設されており、また本体シート５の他方の側端部には、係合孔６に嵌入係合する二つの係合突片７が突設されており、そして本体シート５の小径湾曲端縁には、複数の係止リブ片８が屈曲して起立状に設けられており、さらに大径湾曲端寄りの箇所には、この大径湾曲端に沿って液溜り溝４が湾曲陥没成形されている。
【００３２】
この図４に示した本体シート５を丸めて、係合孔６に係合突片７を嵌入係合させることにより、フード１が組立てられる。
【００３３】
図５は、フード１に製作される本体シート５の他の実施例を示すもので、液溜り溝４を、本体シート５の大径湾曲端に沿って長く形成し、これにより本体シート５がフード１に製作された際に、液溜り溝４が、内周面の下半分域以上に亘って形成されるようにしている。
【００３４】
なお、液溜り溝４を内周面の全周域に亘って形成した場合には、噴霧器１１のノズルヘッド１２に対するフード１の、周方向に沿った組付け位置の規制を無くすことができる。
【図面の簡単な説明】
【００３５】
【図１】噴霧器付き容器体に組付いた本発明の一実施形態を示す外観斜視図である。
【図２】図１に示した実施形態の、縦断側面図である。
【図３】図１に示した実施形態の、全体全体外観斜視図である。
【図４】本発明のフードに組立てられる本体シートの、一部拡大断面図示した、一構成例の外観斜視図である。
【図５】本体シートの他の構成例の、外観斜視図である。
【符号の説明】
【００３６】
１    ；  フード
２    ；  基端開口部
３    ；  先端開口部
４    ；  液溜り溝
５    ；  本体シート
６    ；  係合孔
７    ；  係合突片
８    ；  係止リブ片
９    ；  嵌着治具
１０  ；  係止周溝
１１  ；  噴霧器
１２  ；  ノズルヘッド
１３  ；  トリガー
１４  ；  容器体
１５  ；  組付けキャップ
【図１】
2005239274.tif 000003
【図２】
2005239274.tif 000004
【図３】
2005239274.tif 000005
【図４】
2005239274.tif 000006
【図５】
2005239274.tif 000007
【手続補正書】
【提出日】平成16年3月2日(2004.3.2)
【手続補正１】
【補正対象書類名】図面
【補正対象項目名】全図
【補正方法】変更
【補正の内容】
【図１】
2005239274.tif 000008
【図２】
2005239274.tif 000009
【図３】
2005239274.tif 000010
【図４】
2005239274.tif 000011
【図５】
2005239274.tif 000012
【手続補正書】
【提出日】平成16年3月3日(2004.3.3)
【手続補正１】
【補正対象書類名】特許請求の範囲
【補正対象項目名】請求項１
【補正方法】変更
【補正の内容】
【請求項１】
噴霧器（１１）のノズルヘッド（１２）に外嵌組付きする基端開口部（２）から先端開口部（３）に向かってラッパ上に拡径し、前記先端開口部（３）寄りの内周面の少なくとも下側に位置する部分に、液溜り溝（４）凹設した噴霧器用フード。